(57)【特許請求の範囲】
【請求項１】
体外循環する患者の血液を浄化して血液浄化治療するとともに、当該血液浄化治療に関わる表示を行わせる表示手段を具備した血液浄化装置において、
前記表示手段は、画面の所望位置に表示されるスイッチ部を触れることにより所定の入力が可能なタッチパネルから成るとともに、血液浄化治療に関わる入力操作が前記スイッチ部にて可能とされつつ血液浄化治療に関わる表示を行わせる画面の通常モードと、専ら血液浄化治療に関わる表示を行わせて当該スイッチ部による入力操作が不可能とされる画面の表示モードとが切り換え可能とされるとともに、当該表示モード時の表示は、前記通常モード時の表示のレイアウト及び形状を維持しつつ拡大表示されることを特徴とする血液浄化装置。
【請求項２】
前記表示手段は、前記通常モードから表示モードに移行する際、前記スイッチ部の表示を省略させることを特徴とする請求項１記載の血液浄化装置。
【請求項３】
前記表示手段は、警報が発生されたことを条件として、前記表示モードから通常モードに自動的に切り換えられることを特徴とする請求項１又は請求項２記載の血液浄化装置。
【請求項４】
前記通常モードと表示モードとの間の移行過程において、前記表示手段による表示の大きさが次第に変化することを特徴とする請求項１〜３の何れか１つに記載の血液浄化装置。
【発明の詳細な説明】
【技術分野】
【０００１】
本発明は、体外循環する患者の血液を浄化して血液浄化治療するとともに、当該血液浄化治療に関わる表示を行わせる表示手段を具備した血液浄化装置に関するものである。
【背景技術】
【０００２】
透析治療などで用いられる血液浄化装置としての透析装置は、病院等の医療施設内に設けられた透析室に複数設置され、当該透析室内で多数の患者に対する透析治療（血液浄化治療）が施されるようになっている。かかる透析装置には、通常、透析治療に関わる表示を行わせるための表示手段が配設されており、当該表示手段による表示を目視しつつ透析治療に関わる所定の作業が行われ得るよう構成されている。かかる表示手段で表示される画面は、予め複数用意されており、それら複数の画面を切り換え表示させることにより、必要な情報を把握し得るようになっている。
【０００３】
ところで、透析治療は比較的治療時間が長いことから、透析装置の運転中、常時、医療従事者等が付き添っていることは困難とされており、通常、透析装置の運転開始時、警報発生時又は運転終了時等の必要なときに限って医療従事者等による透析装置に対する操作や作業が行われ、他の多くの時間は、透析室内を医療従事者等が巡回しつつ比較的離れた位置から表示手段の表示を視認することにより運転状況を確認するよう運用されている。
【０００４】
しかるに、従来より、透析治療に関わる入力操作が可能とされつつ透析治療に関わる表示を行わせる通常モードと、専ら透析治療に関わる表示を行わせる表示モードとが切り換え可能とされる表示手段を透析装置に具備させることが提案されるに至っている。すなわち、医療従事者等が透析装置の近くにいることが検知されると、表示手段を通常モードとして操作又は作業を行い得る状態とするとともに、医療従事者等が透析装置の近くにいないと判断されると、表示モードに自動的に切り換えるのである。
【０００５】
このような従来の透析装置が具備する表示手段は、通常モードにおいて、操作性を重視したレイアウトの表示がなされるとともに、表示モードにおいて、離れた位置からの視認性を重視した表示がなされるよう設定されていることから、当該通常モードと表示モードとは表示形態（表示内容は勿論、各表示のレイアウトや形状等）が互いに相違するものとされていた。なお、かかる先行技術は、文献公知発明に係るものでないため、記載すべき先行技術文献情報はない。
【発明の概要】
【発明が解決しようとする課題】
【０００６】
しかしながら、上記従来の血液浄化装置においては、表示手段による通常モード時の表示と表示モード時の表示とでは表示形態が著しく相違するため、これら通常モード時の表示と表示モード時の表示との相違を熟知した上で運転状況の確認を行わせる必要があり、不慣れな者の確認作業が困難になってしまうという問題があった。特に、通常モードと表示モードとの切り換え時においては、短時間で著しく相違する表示形態に切り換わってしまうことから、円滑且つ良好な確認作業が困難になってしまう。
【０００７】
本発明は、このような事情に鑑みてなされたもので、通常モード時の操作性及び表示モード時の視認性を維持するとともに、通常モード及び表示モードの何れであっても運転状況の確認を円滑且つ良好に行わせることができる血液浄化装置を提供することにある。
【課題を解決するための手段】
【０００８】
請求項１記載の発明は、体外循環する患者の血液を浄化して血液浄化治療するとともに、当該血液浄化治療に関わる表示を行わせる表示手段を具備した血液浄化装置において、前記表示手段は、画面の所望位置に表示されるスイッチ部を触れることにより所定の入力が可能なタッチパネルから成るとともに、血液浄化治療に関わる入力操作が前記スイッチ部にて可能とされつつ血液浄化治療に関わる表示を行わせる画面の通常モードと、専ら血液浄化治療に関わる表示を行わせて当該スイッチ部による入力操作が不可能とされる画面の表示モードとが切り換え可能とされるとともに、当該表示モード時の表示は、前記通常モード時の表示のレイアウト及び形状を維持しつつ拡大表示されることを特徴とする。
【００１０】
請求項２記載の発明は、請求項１記載の血液浄化装置において、前記表示手段は、前記通常モードから表示モードに移行する際、前記スイッチ部の表示を省略させることを特徴とする。
【００１１】
請求項３記載の発明は、請求項１又は請求項２記載の血液浄化装置において、前記表示手段は、警報が発生されたことを条件として、前記表示モードから通常モードに自動的に切り換えられることを特徴とする。
【００１２】
請求項４記載の発明は、請求項１〜３の何れか１つに記載の血液浄化装置において、前記通常モードと表示モードとの間の移行過程において、前記表示手段による表示の大きさが次第に変化することを特徴とする。
【発明の効果】
【００１３】
請求項１の発明によれば、表示モード時の表示は、通常モード時の表示のレイアウト及び形状を維持しつつ拡大表示されるので、通常モード時の操作性及び表示モード時の視認性を維持するとともに、通常モード及び表示モードの何れであっても運転状況の確認を円滑且つ良好に行わせることができる。
【００１４】
さらに、表示手段は、画面の所望位置に表示されるスイッチ部を触れることにより所定の入力が可能なタッチパネルから成るとともに、通常モード時の入力操作は、当該スイッチ部により可能とされたので、表示手段とは別個の操作手段を不要とすることができ、血液浄化装置の構成を簡素化することができる。
【００１５】
請求項２の発明によれば、表示手段は、通常モードから表示モードに移行する際、スイッチ部の表示を省略させるので、その省略されたスペースを利用して表示モード時の表示を拡大させることができ、視認性をより向上させることができる。
【００１６】
請求項３の発明によれば、表示手段は、警報が発生されたことを条件として、表示モードから通常モードに自動的に切り換えられるので、警報の発生原因の追求や対処をより早急且つ円滑に行わせることができる。
【００１７】
請求項４の発明によれば、通常モードと表示モードとの間の移行過程において、表示手段による表示の大きさが次第に変化するので、通常モードと表示モードとの間の切り換え時の表示の対応関係を確実に把握させることができる。
【図面の簡単な説明】
【００１８】
【図１】本発明の実施形態に係る血液浄化装置を示す正面図
【図２】同血液浄化装置における表示手段で表示される通常モード時の画面を示す模式図
【図３】同血液浄化装置における表示手段で表示される表示モード時の画面を示す模式図
【発明を実施するための形態】
【００１９】
以下、本発明の実施形態について図面を参照しながら具体的に説明する。
本実施形態に係る血液浄化装置は、体外循環する患者の血液を浄化して透析治療する血液透析装置に適用されたもので、図１に示すように、血液ポンプ３、補液ポンプ４、バイパスコネクタ受け５、気泡検出器６、注入ポンプ７等を具備した透析装置本体１（透析監視装置）と、該透析装置本体１の上部に配設されて血液浄化治療に関わる表示を行わせる表示手段２とから主に構成されている。
【００２０】
なお、この透析装置本体１には、透析液導入ライン及び透析液排出ライン（不図示）等の配管が形成されており、当該透析液導入ライン及び透析液排出ラインにダイアライザ（血液浄化器）を接続するとともに、当該ダイアライザに血液回路が接続されるようになっている。しかして、血液回路により患者の血液を体外循環させつつダイアライザによって体外循環させた血液を浄化し得るよう構成されている。
【００２１】
血液ポンプ３は、血液回路（動脈側血液回路）に取り付けられ、当該血液回路を構成する可撓性チューブをしごいて患者の血液を流動させるものであり、補液ポンプ４は、補液のためのチューブをしごいて補液を血液回路内に流動させるものである。また、気泡検出器６は、血液回路内の気泡を検出するものであり、注入ポンプ７は、例えば抗凝固剤（ヘパリン）等を収容したシリンジを駆動させて、血液回路中に当該抗凝固剤を持続注入するものである。
【００２２】
また、バイパスコネクタ受け５は、バイパスコネクタを受けて保持させるものである。かかるバイパスコネクタは、血液浄化治療が行われていないとき等、透析液導入ラインの先端（透析液出口）及び透析液排出ラインの先端（透析液戻口）に接続され、これら透析液導入ライン及び透析液排出ラインを短絡（先端同士を連結）させ得るものである。しかして、透析液導入ライン及び透析液排出ラインを短絡するとき、バイパスコネクタ受け５にて保持されるようになっている。したがって、このバイパスコネクタ受け５にバイパスコネクタが保持されていると、スイッチが反応し、「透析液導入ライン及び透析液排出ラインが短絡されている」ことが検出可能とされている。
【００２３】
表示手段２は、画面の所望位置に表示されるスイッチ部を触れることにより所定の入力が可能なタッチパネル（例えばカラーＬＣＤ等のタッチパネル）から成るものであり、透析治療（血液浄化治療）に関わる種々情報を複数の画面を切り換えて表示可能とされるとともに、所定の画面（本実施形態においては通常モード時の画面）に表示された所定のスイッチ部に触れて入力操作することにより、所定の操作が可能とされている。
【００２４】
また、表示手段２は、透析治療に関わる入力操作が可能とされつつ透析治療に関わる表示を行わせる通常モードと、専ら透析治療に関わる表示を行わせる表示モードとが切り換え可能とされている。すなわち、透析装置が運転中において、医療従事者が当該透析装置の近傍にいると検知された場合、表示手段２を通常モードとし、操作性を重視した表示とするとともに、医療従事者が当該透析装置の近傍にいないと判断された場合、表示手段２を表示モードとし、離れた位置からの視認性を重視した表示とするよう自動的に切り換えられるのである。
【００２５】
なお、透析装置の近傍に医療従事者がいる或いはいないことを把握するには、以下の如き方法が考えられる。例えば、透析装置の近傍に医療従事者がいることを光学センサ等の検知センサにて検知させ、当該検知センサによる検知がある場合は、通常モードとするとともに、当該検知センサによる検知が一定時間ない場合は、表示モードに切り換えるものとすることができる。また、透析装置に対する入力操作（本実施形態においては、表示手段としてのタッチパネルに対する入力操作）がある場合は、通常モードとするとともに、入力操作が一定時間ない場合は、表示モードに切り換えるものとしてもよい。
【００２６】
通常モードにおいては、図２に示すように、表示手段２の画面に以下の項目が表示可能とされている。すなわち、運転状況（ＨＤ運転中）、各種圧力値（静脈圧、透析液圧）、除水条件（除水量積算、除水量設定、除水速度）、透析液の条件（透析液温度、透析液濃度、透析液流量）、抗凝固剤注入速度（ＩＰ速度）、血流量、透析治療経過時間、血圧／脈拍値、各種操作のためのアイコン等が表示手段２に表示可能とされているのである。
【００２７】
より具体的には、通常モード時の表示手段２には、透析治療経過時間及び透析治療残り時間が表示されるグラフ表示部Ａと、最高血圧、最低血圧及び脈拍を示す数値が表示される表示部Ｂと、透析装置を運転又は停止させるためのスイッチ部Ｃと、返血操作を行わせるためのスイッチ部Ｄと、抗凝固剤注入速度（ＩＰ速度）を示す数値が表示される表示部Ｅ１と、透析液温度を示す数値が表示される表示部Ｅ２と、透析液流量を示す数値が表示される表示部Ｅ３と、血流量を示す数値が表示される表示部Ｆと、除水量の設定値が表示される表示部Ｇ１と、除水速度の設定値が表示される表示部Ｇ２とがそれぞれ同一画面の所定の部位に表示される。なお、本実施形態においては、上記表示部の他、運転状況（ＨＤ運転中）、各種圧力値（静脈圧、透析液圧）の表示或いは除水量積算を示す数値が併せて表示されている。
【００２８】
さらに、本実施形態においては、表示部Ｅ１、表示部Ｅ２、表示部Ｅ３、表示部Ｇ１及び表示部Ｇ２は、それぞれ所定の数値が表示されるとともに、その部位を触れることにより、所定の入力操作が可能とされている。しかるに、これら表示部Ｅ１、表示部Ｅ２、表示部Ｅ３、表示部Ｇ１及び表示部Ｇ２は、表示された数値により情報把握が可能とされるとともに、入力操作が可能であることを視認可能とすべく、立体表示（数値を囲む枠に影を付した表示）とされている。すなわち、通常モード時に表示される表示部Ｅ１、表示部Ｅ２、表示部Ｅ３、表示部Ｇ１及び表示部Ｇ２は、所定の入力操作が可能なスイッチ部を兼ねているのである。
【００２９】
ここで、本実施形態に係る表示手段２は、図２、３に示すように、表示モード時の表示（図３参照）は、通常モード時の表示（図２参照）のレイアウト及び形状を維持しつつ拡大表示されるものとされている。すなわち、表示モード時においては、グラフ表示部Ａより大きな表示から成るグラフ表示部Ａ’、表示部Ｂより大きな表示から成る表示部Ｂ’、表示部Ｅ１、Ｅ２より大きな表示から成る表示部Ｅ１’、Ｅ２’、及び表示部Ｆより大きな表示から成る表示部Ｆ’がそれぞれレイアウト及び形状を維持しつつ同一画面に併せて表示されているのである。
【００３０】
また、表示モード時においては、専ら血液透析治療に関わる表示を行わせるものとされており、例えば通常モード時の表示部Ｅ１、表示部Ｅ２、表示部Ｇ１及び表示部Ｇ２は、表示モードに移行すると、立体表示が解消され、数値のみが表示されることとなる。しかして、表示モードに移行後の表示部Ｅ１’、表示部Ｅ２’、表示部Ｇ１’及び表示部Ｇ２’は、数値を表示するものの触れても入力操作がなされないよう構成されている。
【００３１】
このように、本実施形態においては、通常モードから表示モードに移行すると、通常モード時の表示のレイアウト（各表示の画面に対する相対位置）及び形状を維持しつつ拡大表示（相似的に拡大させた表示）されるとともに、反対に、表示モードから通常モードに移行すると、表示モード時の表示のレイアウト（各表示の画面に対する相対位置）及び形状を維持しつつ縮小表示（相似的に縮小させた表示）されることとなる。
【００３２】
特に、本実施形態においては、通常モードと表示モードとの間の移行過程において、表示手段２による表示の大きさが次第に変化するよう設定可能とされている。これにより、通常モードと表示モードとの間の切り換え時の表示の対応関係を確実に把握させることができる。すなわち、表示の大きさを次第に変化させるようにすれば、一瞬に変化させるものに比べ、表示部に対する視線を追従させることができ、対応関係をより明確にすることができるのである。
【００３３】
さらに、本実施形態においては、表示手段２は、通常モードから表示モードに移行する際、スイッチ部の表示を省略させるよう構成されている。具体的には、通常モード時のスイッチ部Ｃ及びスイッチ部Ｄは、表示モードに移行後においては、表示手段２の画面に表示されず省略されるよう設定されている。なお、既述のように、通常モード時の表示部Ｅ１、表示部Ｅ２、表示部Ｇ１及び表示部Ｇ２は、表示モードに移行すると、立体表示が解消され、入力操作が可能な「スイッチ部」としての機能を有さないものとされる。
【００３４】
しかして、通常モードにおいては、スイッチ部を表示させて入力操作を可能とするとともに入力操作に関する情報をより多く表示させることにより、透析治療に関わる操作性を向上させた表示とされ、且つ、表示モードにおいては、スイッチ部や入力操作に関する情報等を省略しつつ表示部の表示（特に数値）を大きくして例えば巡回時の視認性を向上させた表示とされる。
【００３５】
またさらに、本実施形態に係る表示手段２は、警報が発生されたことを条件として、表示モードから通常モードに自動的に切り換えられるよう構成されている。警報は、透析治療に関わる作業（透析治療のための動作及び治療の準備のための動作等）が行われている間、誤操作や誤った設定がなされたとき、或いは例えば監視している静脈圧やΔＢＶ等のパラメータ（モニタ値）が予め定めた範囲を超えたとき等、血液浄化装置が異常を検出すると発せられるものであり、当該警報により注意を喚起し得るようになっている。なお、警報を発生する手段は、スピーカから警報音を出力するもの或いは警報灯を点灯させるもの等、何れの形態であってもよい。
【００３６】
上記実施形態によれば、表示モード時の表示は、通常モード時の表示のレイアウト及び形状を維持しつつ拡大表示されるので、通常モード時の操作性及び表示モード時の視認性を維持するとともに、通常モード及び表示モードの何れであっても運転状況の確認を円滑且つ良好に行わせることができる。なお、表示モードにおいては、表示部における表示枠内部と背景とは色を同一とし、且つ、当該表示部に表示される数値や文字を背景とは異なる色とすることにより、遠方からの数値や文字の視認をより容易に行わせることができる。
【００３７】
また、表示手段２は、通常モードから表示モードに移行する際、スイッチ部の表示を省略させるので、その省略されたスペースを利用して表示モード時の表示を拡大させることができ、視認性をより向上させることができる。さらに、表示手段２は、警報が発生されたことを条件として、表示モードから通常モードに自動的に切り換えられるので、警報の発生原因の追求や対処をより早急且つ円滑に行わせることができる。
【００３８】
以上、本実施形態について説明したが、本発明はこれに限定されるものではない。本実施形態の如く表示手段２は、画面の所望位置に表示されるスイッチ部を触れることにより所定の入力が可能なタッチパネルから成るとともに、通常モード時の入力操作は、当該スイッチ部により可能としているので、表示手段２とは別個の操作手段を不要とすることができ、血液浄化装置の構成を簡素化することができる。
【００３９】
また、通常モード及び表示モードにおいて、表示手段２による表示内容は、本実施形態のものに限定されず、血液浄化治療に関わる種々の表示を行わせるものとしてもよい。なお、本実施形態においては、血液透析（ＨＤ）における血液透析装置に適用しているが、これに代えて他の血液浄化治療（例えば、血液透析濾過（ＨＤＦ）、血液濾過（ＨＦ）又は持続緩徐式血液濾過（ＣＨＦ）等の治療）を施すことが可能な血液浄化装置に適用してもよい。
【産業上の利用可能性】
【００４０】
表示手段は、画面の所望位置に表示されるスイッチ部を触れることにより所定の入力が可能なタッチパネルから成るとともに、血液浄化治療に関わる入力操作がスイッチ部にて可能とされつつ血液浄化治療に関わる表示を行わせる画面の通常モードと、専ら血液浄化治療に関わる表示を行わせて当該スイッチ部による入力操作が不可能とされる画面の表示モードとが切り換え可能とされるとともに、当該表示モード時の表示は、通常モード時の表示のレイアウト及び形状を維持しつつ拡大表示される血液浄化装置であれば、外観形状が異なるもの或いは他の機能が付加されたもの等にも適用することができる。
【符号の説明】
【００４１】
１  透析装置本体
２  表示手段（タッチパネル）
３  血液ポンプ
４  補液ポンプ
５  バイパスコネクタ受け
６  気泡検出器
７  注入ポンプ
【図１】
0005433634.tif 000002
【図２】
0005433634.tif 000003
【図３】
0005433634.tif 000004